(57)【要約】【課題】  戸建住宅用の門扉とフェンスを用いてマンションのアルコーブ玄関仕切を構成する。【解決手段】  フェンス２の上下桟２１，２２にそれぞれビーム材２３，２７を重合配置することによって門扉１と高さと門扉１の上下框の見付幅を揃える一方，門扉支柱１１の側面とフェンス２の端部の躯体に添設支柱３を添設固定して，これら添設支柱３の溝３１にフェンス２とそのビーム材２３，２７を嵌合固定することによってフェンス２を門扉１と平面直線をなすように配置する。これによって戸建住宅用の部材を用い，ビーム材，添設支柱程度を追加使用して，門扉１とフェンス２の段差の解消，見付幅の均等化，煩雑感の解消を行なって外観良好なアルコーブ仕切Ａとすることができる。【選択図】        図１
2005048544.tif 000002
【特許請求の範囲】
【請求項１】
コンクリートスラブに起立設置した門扉支柱を挟んでその一方の片側に門扉を，他方の片側にフェンスを配置して玄関開口を区画するようにしたアルコーブ仕切であって，上記門扉支柱，門扉及びフェンスに戸建住宅用規格品を使用し，このうちフェンスの上下桟又はその一方に高さ調整用にして該上下桟と同一見込幅のビーム材を上下方向に重合配置することによってフェンスの高さ及びその少なくとも上桟の見付幅を門扉とほぼ揃えるとともに上記支柱のフェンス設置側の面及びフェンス端部の躯体に添設した上記門扉支柱の高さに揃えた添設支柱に上記フェンスとビーム材を嵌合固定することによって門扉とフェンスが平面直線をなすようにしてなることを特徴とする戸建住宅用規格品を用いたアルコーブ玄関仕切。
【請求項２】
上記門扉と平面直線をなすフェンス端部のコンクリートスラブに同一の門扉支柱を中間支柱として起立立設し，該フェンス及びこれと直交し同様に上記ビーム材を重合配置したフェンスを該中間支柱に添設した同じく同一の添設支柱に嵌合固定することによって該フェンスを上記門扉と平面直線のフェンスとともに平面Ｌ字状をなすように配置してなることを特徴とする請求項１に記載のアルコーブ玄関仕切。
【請求項３】
上記添設支柱をフェンス嵌合用の溝を形成する両側の側壁を備えた断面コ字状とするとともに該両側の側壁を外側側壁及び内側側壁による中空２重構造とし，上記フェンスとビーム材の嵌合固定をフェンスの上下桟又はその一方とビーム材のそれぞれ長手方向両端で上記添設支柱の外側側壁に形成した開口を介して内側側壁からビーム材に螺入した固定金具によって行なうとともに上記外側側壁の開口をサイドカバーによって閉塞してなることを特徴とする請求項１又は２に記載のアルコーブ玄関仕切。
【請求項４】
上記ビーム材の重合配置を，ジョイント材の底面をフェンスの上下桟又はその一方の見込面に対接固定し，該ジョイント材にビーム材を嵌合又は被嵌して行なってなることを特徴とする請求項１，２又は３に記載のアルコーブ玄関仕切。
【発明の詳細な説明】
【技術分野】
【０００１】
本発明は，マンションの玄関前に専用スペースをなすように配置した玄関のアルコーブに設置使用するアルコーブ玄関仕切に関する。
【背景技術】
【０００２】
玄関ドアの前に共用スペースからＵ字状に凹陥したアルコーブを形成し，該アルコーブの両端を門扉によって仕切ることによって居住者の専用スペースとしたマンションが販売されており，この場合アルコーブの対向する躯体に門扉支柱を配置し，該門扉支柱に片開き又は両開きを配置することによって玄関開口を区画するようにするものとされる。
【発明の開示】
【発明が解決しようとする課題】
【０００３】
Ｕ字状に凹陥した比較的開口幅の小さいアルコーブを対象とするものとして，このように門扉を配置することによって玄関開口を区画することができるが，居住性を向上するためにアルコーブの面積を拡大してその開口幅を大きくし又は２面を開放したアルコーブを形成すると，門扉によって玄関開口を区画することができず，これにフェンスを併用する必要が生じることになる。
【０００４】
一般にアルコーブには，これに専用の門扉を用いることなく，戸建住宅用規格品の門扉を共用することが多いから，フェンスも同様に戸建住宅用規格品を使用することが好ましいが，戸建住宅用規格品の門扉とフェンスは別個に異高のベース面を設定しそれぞれに専用の支柱を用いて設置する独立商品とされるため，アルコーブのようにコンクリートスラブのように同一のベース面に設置することを想定しておらず，このためアルコーブに設置すると門扉及び門扉支柱の高さが高いのに対してフェンス及びフェンス支柱の高さが低いために，これらの間に段差を生じること，門扉の框，特に上下框が太幅であるのに対してフェンスの上下桟が細いためこれらに見付幅の広狭を生じること，また門扉とフェンスの設置用の見付幅等の異なる門扉支柱とフェンス支柱の双方の使用によって支柱の数が多くなるために煩雑化した印象を与えるものとなること等によって，アルコーブの仕切面に違和感や煩雑感乃至これらによる外観不良を招き易いという問題点を残しており，特にアルコーブの面積を拡大するのは高級仕様のマンションとされることが多いため，これら段差の発生，見付幅の広狭，支柱数の多さによる違和感，煩雑感やこれらによる外観不良を解消する必要が生じる。
【０００５】
本発明はかかる事情に鑑みてなされたもので，その解決課題とするところは，戸建住宅用規格品の門扉とフェンスを用いるとともに可及的に少ない部材を用いてアルコーブの玄関開口を外観よく区画することができるようにしたアルコーブ玄関仕切を提供するにある。
【課題を解決するための手段】
【０００６】
上記課題に添って本発明は一般に高さの高い門扉に合せてフェンスの高さをこれと見込幅を合せたビーム材を重合配置することによって見付幅を調整するとともにしてこれらの高さをほぼ揃えるようにする一方，フェンスの設置に専用の支柱を用いることなく，門扉支柱の高さに合せて門扉支柱に添設する添設支柱を使用し，該添設支柱にフェンス及び上記ビーム材を嵌合配置することによって，可及的に一体的な外観を呈するように門扉支柱に対して門扉とフェンスを設置するようにし，これによって段差の解消，見付幅の均等化，煩雑間の解消を行なって外観良好にして，ビーム材，添設支柱程度を追加使用することによって高級仕様にも適した外観の統一性を備え得るようにしたものである。
【０００７】
即ち請求項１に記載の発明は，これを，コンクリートスラブに起立設置した門扉支柱を挟んでその一方の片側に門扉を，他方の片側にフェンスを配置して玄関開口を区画するようにしたアルコーブ仕切であって，上記門扉支柱，門扉及びフェンスに戸建住宅用規格品を使用し，このうちフェンスの上下桟又はその一方に高さ調整用にして該上下桟と同一見込幅のビーム材を上下方向に重合配置することによってフェンスの高さ及びその少なくとも上桟の見付幅を門扉とほぼ揃えるとともに上記支柱のフェンス設置側の面及びフェンス端部の躯体に添設した添設支柱に上記フェンスとビーム材を嵌合固定することによって門扉とフェンスが平面直線をなすようにしてなることを特徴とする戸建住宅用規格品を用いたアルコーブ玄関仕切としたものである。
【０００８】
請求項２に記載の発明は，上記に加えて，２面を開放したアルコーブに好適に設置し得るとともにその設置に更に支柱門扉と添設支柱を用いることによって外観の統一性を確保したものとするように，これを，上記門扉と平面直線をなすフェンス端部のコンクリートスラブに同一の門扉支柱を中間支柱として起立立設し，該フェンス及びこれと直交し同様に上記ビーム材を重合配置したフェンスを該中間支柱に添設した同じく同一の添設支柱に嵌合固定することによって該フェンスを上記門扉と平面直線のフェンスとともに平面Ｌ字状をなすように配置してなることを特徴とする請求項１に記載のアルコーブ玄関仕切としたものである。
【０００９】
請求項３に記載の発明は，同じく上記に加えて，ビーム材の上下桟又はその一方に対する重合配置を固定金具によって簡易に固定し得るものとするとともに該固定金具が露出することによる外観不良を可及的に抑制し得るものとするように，これを，上記添設支柱をフェンス嵌合用の溝を形成する両側の側壁を備えた断面コ字状とするとともに該両側の側壁を外側側壁及び内側側壁による中空２重構造とし，上記フェンスとビーム材の嵌合固定をフェンスの上下桟又はその一方とビーム材のそれぞれ長手方向両端で上記添設支柱の外側側壁に形成した開口を介して内側側壁からビーム材に螺入した固定金具によって行なうとともに上記外側側壁の開口をサイドカバーによって閉塞してなることを特徴とする請求項１又は２に記載のアルコーブ玄関仕切としたものである。
【００１０】
請求項４に記載の発明は，同じく上記に加えて，ビーム材の上下桟又はその一方に対する重合配置を簡易且つ確実になし得るものとするように，これを，上記ビーム材の重合配置を，ジョイント材の底面をフェンスの上下桟又はその一方の見込面に対接固定し，該ジョイント材にビーム材を嵌合又は被嵌して行なってなることを特徴とする請求項１，２又は３に記載のアルコーブ玄関仕切としたものである。
【発明の効果】
【００１１】
本発明は以上のとおりに構成したから，請求項１に記載の発明は，戸建住宅用規格品の門扉とフェンスを用いるとともに可及的に少ない部材を用いて，段差の解消，見付幅の均等化，煩雑間の解消を行なって外観良好にして，高級仕様にも適した外観の統一性を備えて，アルコーブの玄関開口を外観よく区画することができるようにした門扉とフェンスが平面直線となすアルコーブ玄関仕切を提供することができる。
【００１２】
請求項２に記載の発明は，上記に加えて，２面を開放したアルコーブに好適に設置し得るとともにその設置に更に支柱門扉と添設支柱を用いることによって外観の統一性を確保したフェンスを平面Ｌ字状に配置したアルコーブ玄関仕切を提供することができる。
【００１３】
請求項３に記載の発明は，同じく上記に加えて，ビーム材の上下桟又はその一方に対する重合配置を固定金具によって簡易に固定し得るものとするとともに該固定金具が露出することによる外観不良を可及的に抑制したものとすることができる。
【００１４】
請求項４に記載の発明は，同じく上記に加えて，ビーム材の上下桟又はその一方に対する重合配置を簡易且つ確実になし得るものとすることができる。
【発明を実施するための最良の形態】
【００１５】
以下図面の例に従って本発明を更に具体的に説明すれば，図１乃至図６において，Ａはアルコーブ玄関仕切であり，該玄関仕切Ａは，コンクリートスラブに起立設置した門扉支柱１１を挟んでその一方の片側に門扉１を，他方の片側にフェンス２を配置して玄関開口を区画するようにしてあり，上記門扉支柱１１，門扉１及びフェンス２に戸建住宅用規格品を使用し，このうちフェンス２の上下桟２１，２２又はその一方に高さ調整用にして該上下桟２１，２２と同一見込幅のビーム材２３，２７を上下方向に重合配置することによってフェンス２の高さ及びその少なくとも上桟２１の見付幅を門扉１とほぼ揃えるとともに上記門扉支柱１１のフェンス２設置側の面及びフェンス２端部の躯体に添設した上記門扉支柱１１の高さに揃えた添設支柱３に上記フェンス２とビーム材２３，２７を嵌合固定することによって門扉１とフェンス２が平面直線をなすようにしたものとしてある。
【００１６】
即ち本例にあって門扉１及びフェンス２はアルミ押出材を加工して形成したアルミ製のものとし，門扉１はこれを両開き一対のものとして，これをＵ字状に凹陥したアルコーブの玄関開口の一方の片側に配置し，フェンス２は該両開き一対の門扉１より幅広にして単一のものとしてその他方の片側に配置することによってこれらが平面直線をなす形態としてあり，このとき両開き一対の門扉１及びフェンス２は，例えば多数の縦桟を矩形に枠組みして縦格子状とした共通デザインの戸建住宅用規格品を用いてあり，これによってフェンス２の高さが門扉１より低く，またフェンス２の上下桟２１，２２における見付幅が門扉１の上下框における見付幅より細いものを用いてある。
【００１７】
門扉支柱１１は同じくアルミ押出材を加工して形成し上端にキャップ１１を嵌着したアルミ製にして上記門扉１用の専用の支柱を用いてあり，本例にあって該門扉支柱１１は上記両開き一対の門扉１をそれぞれヒンジ１２を介して開閉自在に支持するように該門扉１の両側，即ち門扉１とフェンス２間の位置及びアルコーブを画する躯体近傍位置に起立設置して，その非躯体側にして玄関開口中間の門扉支柱１１を挟んでその両側に門扉１とフェンス２を配置するようにしてある。本例の上記門扉支柱１１は，専用スペースとされるアルコーブ敷地内のコンクリートスラブにベースプレート１３をアンカー金具によって固定し，その表面に起立配置した，例えば平面コ字状乃至ロ字状の起立片１４を被嵌して門扉支柱１１側からネジ等の固定金具１６によって固定してその起立設置を行ったものとしてあり，このとき上記ヒンジ１２は該門扉支柱１１の一側面，本例にあっては背面にこれを固定しその側面において門扉１を開閉自在に支持するようにしてある。
【００１８】
このとき戸建住宅用規格品を用いたフェンス２の，本例にあって上下桟２１，２２には該上下桟２１，２２と同長にして高さ調整用の，例えば同じくアルミ押出材を加工して形成したビーム材２３，２７を重合配置して上記門扉１より低い高さにして上下桟２１，２２の見付幅が細いフェンス２を門扉２の高さ及びその上下框の見付幅にほぼ揃えてあり，これによって縦格子状共通デザインの門扉１とフェンス２が外観よく統一性あるデザインとするようにしてある。
【００１９】
このとき上桟２１のビーム材２３の重合配置は，これを，ジョイント材２４の底面をフェンス２の上桟２１の見込面に対接固定し，該ジョイント材２４にビーム材２３を嵌合又は被嵌，本例にあっては被嵌して行なったものとしてあり，また下桟２２のビーム材２７の重合配置は，直接にビーム材２７をフェンス２の下桟２２の見込面に対接固定してこれを行なったものとしてある。
【００２０】
上桟２１のビーム材２３を被嵌するジョイント材２４は，例えば上桟２１と同一見込幅の断面Ｕ字状としたアルミ押出材製のものとし，これを上桟２１の上面に載置し，上方の開放した開口部の底面から上桟２１にネジ２５を螺入することによってその対接固定を行ってあり，またビーム材２３は，例えば同じく上桟２１と同一見込幅にして下部をジョイント材２４の立上フィンの肉厚分に応じて段差面とした断面Ｕ字状乃至ホロ状としたアルミ押出形材製のものとし，これを上記ジョイント材２４に被嵌するとともにその段差面が立上フィンに重合することによって上桟２１と同一見込幅となるようにしてその重合配置を行ってあり，また下桟２２のビーム材２７は，例えば同じく下桟２２と同一見込幅の断面Ｕ字状乃至ホロ状としたアルミ押出形材製のものとし，これを直接に下桟２２の下面に対接してその重合配置を行ってある。
【００２１】
このとき上下桟２１，２２のビーム材２３，２７は，上記添設支柱３にフェンス２とともに嵌合固定することによってフェンス２の上下桟２１，２２にそれぞれ固定し，添設支柱３を介してフェンス２との一体化を行なうようにしてある。
【００２２】
本例にあって上記添設支柱３は，これをフェンス嵌合用の溝３１を形成する両側の側壁を備えた断面コ字状とするとともに該両側の側壁を外側側壁３２及び内側側壁３３による中空２重構造とし，上記フェンス２とビーム材２３，２７の嵌合固定をフェンス２の上下桟２１，２２又はその一方とビーム材２３，２７のそれぞれ長手方向両端で上記添設支柱３の外側側壁３２に形成した開口を介して内側側壁３３からビーム材２３，２７に螺入した固定金具３５によって行なうとともに上記外側側壁３２の開口をサイドカバー３６によって閉塞したものとしてある。
【００２３】
即ち添設支柱３は，門扉支柱１１より幅狭でフェンス２より幅広にしてフェンス２と同一幅の溝３１を形成した見込幅を有し，門扉支柱１１より幾分短尺のほぼ同等の長さにして該門扉支柱１１と高さを揃え且つフェンス２高さに沿う長さを有して上記両側を中空２重構造とした同じくアルミ押出材製のものとしてあり，該添設支柱３はその底面を，門扉支柱１１のフェンス２を設置する側の側面，本例にあっては上記ヒンジ１２設置の側面に隣接する側面にして門扉１設置側と対向する側面にネジ３４固定することによって起立して添設し，またフェンス２非門扉支柱側の端部の躯体に同様に底面をネジ，アンカー等によって固定することによって起立して添設してあり，これによって戸建住宅用規格品のフェンス２に使用する専用のフェンス支柱を使用することなく，フェンス２を門扉支柱１１に対して固定するようにしてある。
【００２４】
フェンス２の添設支柱３への嵌合固定は，フェンス２とその上下桟２１，２２のビーム材２３，２７を添設支柱３の溝３１に嵌合し，添設支柱３の内外に，例えば本例にあって上下方向の溝とした開口から内側側壁３３を介して上桟２１とそのビーム材２３及び下桟２２とそのビーム材２７に，本例にあって固定金具として用いたネジ３５を螺入することによって固定し，該ネジ止めによる固定後に各開口に，本例にあって上下方向のプレートとしたサイドカバー３６を嵌着して開口を閉塞するように行なうようにしてあり，これによってフェンス２を門扉１と平面直線をなすように配置するとともにこれら固定のネジ３５がフェンス２の正背面に露出するのを防止し得るようにしてある。
【００２５】
図７及び図８は，特に２面を開放したアルコーブに好適に設置し得るようにした例を示すもので，本例にあってアルコーブ仕切Ａは，上記門扉１と平面直線をなすフェンス２端部のコンクリートスラブに同一の門扉支柱１１を中間支柱として起立立設し，該フェンス２及びこれと直交し同様に上記ビーム材２３，２７を重合配置したフェンス２を該中間支柱に添設した同じく同一の添設支柱３に嵌合固定することによって該フェンス２を上記門扉１と平面直線のフェンス２とともに平面Ｌ字状をなすように配置してある。
【００２６】
このとき中間支柱として使用する門扉支柱１１は上記門扉１に専用の同一のものを用い，また添設支柱３も上記と同一のものを用いるとともに，添設支柱３の門扉支柱１１に対する添設固定，該添設固定に対するフェンス２及びビーム材２３，２７の嵌合固定等を上記例と同様に行なったものとしてある。このとき上記例と異なるのは，中間支柱の門扉支柱１１を用いて，該門扉支柱１１に対する添設支柱３の添設固定をその隣接２側面に対して行なうことによって，上記門扉１と平面直線をなすフェンス２に加えて，該フェンス２に更に別のフェンス２を直交して交差するようにＬ字状に配置し，上記２面を開放したアルコーブを仕切るようにした点，また該別のフェンス２の端部に同じく門扉支柱１１と添設支柱３を用いてフェンス２の嵌合固定を行なった点であり，その余は上記例と変わらないので同一符合を付してその重複する説明を省略する。
【００２７】
図中１５はベースプレート１３に起立片１４を固定した溶接部位，１８は門扉支柱１１のキャップ１７を固定したネジ，２６は上記フェンス２が比較的長尺となることによって，特に外力を受けて上桟  のビーム材２３がズレを生じることのないように該ビーム材２３を上桟２１に対接固定したジョイント材２４に対して背面側の長手方向中央位置１ヶ所で固定した固定金具のネジを示す。
【００２８】
図示した例は以上のとおりとしたが，戸建住宅用規格品の門扉，門扉支柱，フェンス，ビーム材，添設支柱等の材質，形状，構造，これらの関係，これらに対する付加等は上記発明の要旨に反しない限り様々な形態のものとすることができる。
【図面の簡単な説明】
【００２９】
【図１】アルコーブ仕切の背面図である。
【図２】アルコーブ仕切の平面図である。
【図３】門扉支柱，添設支柱及びフェンスの関係を示す縦断面図である。
【図４】門扉側の門扉支柱，添設仕切及びフェンスの関係を示す横断面図である。
【図５】フェンス端部の門扉支柱，添設支柱及びフェンスの関係を示す横断面図である。
【図６】添設支柱の透孔位置の横断面図である。
【図７】アルコーブ仕切の他の例を示す平面図である。
【図８】中間支柱の門扉支柱，添設支柱，フェンスの関係を示す横断面図である。
【符号の説明】
【００３０】
Ａ  アルコーブ玄関仕切
１  門扉
２  フェンス
３  添設支柱
１１  門扉支柱
２３  ビーム材
２４  ジョイント材
２７  ビーム材
３１  溝
３６  サイドカバー
【図１】
2005048544.tif 000003
【図２】
2005048544.tif 000004
【図３】
2005048544.tif 000005
【図４】
2005048544.tif 000006
【図５】
2005048544.tif 000007
【図６】
2005048544.tif 000008
【図７】
2005048544.tif 000009
【図８】
2005048544.tif 000010